(57)【要約】【課題】  大画面のプラズマディスプレイはで、サステイン回路からスキャンICに送られてくる駆動波形の配線距離がそれぞれ異なるため、スキャンICの隣接部において輝度の段差が発生していた。【解決手段】  本発明のプラズマディスプレイ装置では互いに隣接するスキャンICにおいて出力配線を少なくとも一本以上入れ替えた状態にした上で一本ずつ取り出すことで、FPC4の接続ブロック境界で輝度差の異なる出力配線を4セル以上使用し明(a1)暗(b1)明(a1)暗(b1)と交互に走査電極に接続し輝度の段差を分散させることができるようにした。【選択図】  図1
2010122549.tif 000002
【特許請求の範囲】
【請求項１】
走査電極と維持電極間で繰返し放電を行なうプラズマディスプレイパネルと、
前記走査電極に接続された複数のスキャンＩＣと、
前記スキャンＩＣに接続され、前記走査電極に印加する駆動波形を生成する駆動回路と、
を有するプラズマディスプレイ装置であって、
隣接する前記走査電極に接続された異なるスキャンＩＣ間で前記スキャンＩＣの出力を入れ替えて前記走査電極に接続したことを特徴とするプラズマディスプレイ装置。
【請求項２】
複数個のスキャンＩＣの出力配線を走査電極に接続するフレキシブル配線板を有し、前記隣接する走査電極で、且つ、異なるフレキシブル配線板に接続されたスキャンＩＣの出力配線を入れ替えて走査電極に接続したことを特徴とする請求項１のプラズマディスプレイ装置。
【請求項３】
前記スキャンＩＣが実装される基板を備え、
前記スキャンＩＣの出力配線は、前記基板の表層面と内層面をそれぞれ経由することで入れ替わることを特徴とする請求項２に記載のプラズマディスプレイ装置。
【請求項４】
走査電極と維持電極間で繰返し放電を行なうプラズマディスプレイパネルと、
前記走査電極に接続された複数のスキャンＩＣと、
前記スキャンＩＣに接続され、前記走査電極に印加する駆動波形を生成する駆動回路と、
を有するプラズマディスプレイ装置であって、
第１のスキャンＩＣに対応して、複数の前記走査電極からなる第１の走査電極群が前記プラズマディスプレイパネル上に配列され、前記第１のスキャンＩＣの下方に配置された第２のスキャンＩＣに対応して、複数の前記走査電極からなる第２の走査電極群が、前記第１の走査電極群の下方に配置される構造において、前記第１のスキャンＩＣの出力の一部が前記第２の走査電極群に接続され、前記第２のスキャンＩＣの出力の一部が前記第１の走査電極群に接続されることを特徴とするプラズマディスプレイ装置。
【請求項５】
前記第１のスキャンＩＣの出力の一部は、最も前記第２のスキャンＩＣに近い部分の出力であることを特徴とする請求項４に記載のプラズマディスプレイ装置。
【請求項６】
前記第１のスキャンＩＣの出力の一部は、２番目に前記第２のスキャンＩＣに近い部分の出力であることを特徴とする請求項４に記載のプラズマディスプレイ装置。
【発明の詳細な説明】
【技術分野】
【０００１】
本発明は、薄型ディスプレイ装置などに利用されるプラズマディスプレイ装置に関する。
【背景技術】
【０００２】
一般的にプラズマディスプレイ装置(以下PDP装置)は、主に駆動部と表示部の２つに大きく分けることができる。表示部のガラスパネルは対向配置された前面板と背面板との間に多数の放電セルが形成されている。前面板は、一対の走査電極(Y)と維持電極(X)とからなる表示電極対が前面ガラス基板上に互いに平行に複数対形成され、それら表示電極対を覆うように誘電体層および保護層が形成されている。背面板は、背面ガラス基板上に複数の平行なアドレス電極とそれらを覆うように誘電体層と、さらにその上にアドレス電極と平行に複数の隔壁とがそれぞれ形成され、誘電体層の表面と隔壁の側面とに蛍光体層が形成されている。そして表示電極対とアドレス電極とが立体交差するように前面板と背面板とが対向配置されて密閉され、内部の放電空間には、Xe、Ne、He、Arの内の一種またはそれらの混合希ガスが封入されている。ここで、表示電極対とアドレス電極とが対向する部分に放電セルが形成される。そして、パネルは画像表示を行う画像表示領域とそれ以外の非表示領域とに分けられ、各電極はそれぞれの電極を前面板または背面板の画像表示領域外、すなわち非表示領域まで引き出して形成した引出部を備え、その引出部に駆動電圧を印加することでPDP装置を駆動する。
【０００３】
また、Y側中継基板(以下、SDR基板という)にはスキャンICが複数個実装されており、制御回路から各スキャンIC一個ずつにデータが送られ、それぞれのICで走査パルスを生成する。し、各スキャンＩＣの出力端子はフレキシブル配線板(以下FPCという)によってパネルの走査電極と電気的に接続されており、パネルの走査電極に走査パルスを印加している。また、Y(走査)駆動回路(以下、YSUS基板という) では初期化や維持放電のための駆動波形を生成し、スキャンＩＣとＦＰＣを介してパネルの走査電極に印加している。(特許文献1参照)
【特許文献１】特開２００３−１９５７７７号公報
【発明の開示】
【発明が解決しようとする課題】
【０００４】
このようなPDP装置においては、ＹＳＵＳ基板から個々の走査電極に接続するスキャンＩＣまでの電流経路長が異なることにより、スキャンＩＣの隣接部で輝度差が発生する。例えば、YSUS基板から走査パルスを生成するためのスキャンICまでの電流経路長が各スキャンICで異なるために、電気的抵抗値の違いにより走査電極に印加される維持放電の駆動波形の電圧がそれぞれ異なる。このため、スキャンＩＣ単位で隣接部に輝度差が発生し、輝度ムラとして見えるという課題が発生していた。本発明は、このような課題に鑑みてなされたものであり、輝度ムラを緩和させることを目的としている。
【課題を解決するための手段】
【０００５】
上記目的を達成するために本発明のプラズマディスプレイ装置では、隣接するスキャンICにおいて、スキャンICのパネル電極に対する出力配線を少なくとも1本以上入れ替えて構成したものである。
【発明の効果】
【０００６】
スキャンICの出力配線を互いに入れ替えることで輝度差を分散させ目立ちにくくすると共に、電圧値の異なる駆動波形を入れ替えたことで、隣接する駆動波形同士が互いに干渉しあって電圧差が軽減し、輝度差そのものを軽減させることができる。
【発明を実施するための最良の形態】
【０００７】
以下、本発明の実施の形態を図面に基づいて詳細に説明する。なお、実施の形態を説明するための全図において、同一部には原則として同一符号を付し、その繰り返しの説明は省略する。
【実施例１】
【０００８】
本発明のパネル本体の構造について図2を用いて説明する。図2に示すように、ガラス基板などの透明な前面側の基板8上には、走査電極6と維持電極7とで対をなすストライプ状の表示電極が複数列形成されている。さらにその電極群を覆うように第1の誘電体層9が形成され、その第１の誘電体層9上にはMgO等の保護膜10が形成されている。保護膜10は第1の誘電体層9を保護する役割を持ち、さらに放電のイオン衝撃により二次電子を多く放出する機能を有する。
【０００９】
また、前記前面側の基板8に対向配置される背面側の基板11上には、走査電極6及び維持電極7の表示電極と交差するように、第2の誘電体層12で覆われた複数列のストライプ状のアドレス電極15が形成されている。このアドレス電極(A)15間の第2の誘電体層12上には、アドレス電極(A)15と平行に複数の隔壁13が配置され、この隔壁13間の側面および第2の誘電体層12の表面に蛍光体層14が設けられている。
【００１０】
これらの基板8と基板11とは、走査電極6及び維持電極7の表示電極とアドレス電極15とがほぼ直行するように、微小な放電空間を挟んで対向配置されるとともに、周囲が封止される。そして前記放電空間には、ヘリウム、ネオン、アルゴン、キセノンのうちの一種または混合ガスが放電ガスとして封入されている。また、放電空間は、隔壁13によって複数の区画に仕切ることにより、走査電極6及び維持電極7の表示電極とアドレス電極15との交点に位置する複数の放電セルが設けられ、その各放電セルには、赤色、緑色及び青色を発光するように蛍光体層14が一色ずつ順次配置される。
【００１１】
図3はこのＰＤＰ本体の電極配列を示している。図3に示すようにAC型のパネル5には走査電極6及び維持電極7とアドレス電極15とがあり、M行×N列のマトリックスで構成されている。列方向にはM行の走査電極6 SCN1〜SCNMおよび維持電極7 SUS1〜SUSMが配置され、行方向にはN列のアドレス電極15 A1〜ANが配置されている。
【００１２】
このような電極構成のＰＤＰ本体においては、アドレス電極15と走査電極6の間にアドレス放電15を行なう電圧パルスを印加することにより、アドレス電極15と走査電極6の間でアドレス放電を行い、放電セルを選択する。その後、走査電極6及び維持電極7との間に、交互に反転する周期的な維持パルスを印加することにより、走査電極6と維持電極7との間で維持放電を行い、所定の表示を行うものである。
【００１３】
次に、図4において、本実施の形態のＰＤＰ装置(ＰＤＰモジュール)22の全体の構成を説明する。本ＰＤＰ装置22は、主に、ＡＣ型のパネル5と、その駆動及び制御のための回路部とを備える構成である。ＰＤＰモジュール22は、図示しないシャーシ部に対して、一方の面にパネル5が貼り付けられて保持され、他方の面に回路部が保持される。さらにパネル5と回路部とが電気的に接続される構成である。
【００１４】
パネル5の維持電極7はFPC17を介してXSUS基板16に接続され、アドレス電極15はFPC18を介してアドレス基板19に接続されている。また、走査電極6はFPC4とSDR基板1を介してYSUS基板23に接続されており、対応する駆動波形が印加される。
【００１５】
各駆動回路（1、16、23）は、制御回路20に接続され、制御信号により制御される。制御回路20は、ＰＤＰ装置22の全体を制御するものであり、入力される表示データ(映像信号)をもとに、XSUS基板16、YSUS基板23、SDR基板1で駆動波形を生成してパネル5を駆動させる。
【００１６】
次に、図5においてYSUS基板23とSDR基板1の関係を説明する。
SDR基板1にはスキャンパルス波形を生成するためのスキャンIC2が複数個実装されており、スキャンIC2は全ての走査電極5に順次負のスキャンパルスを印加するようにスイッチ動作することによって走査を行う。
【００１７】
スキャンパルス以外の駆動波形は、YSUS基板23からコネクタ(又はFFC)24を介してスキャンIC2の(A)、(B、(C)と上から下へと順次接続されるパターン配線になっている。スキャンIC2で生成されたスキャンパルス波形はスキャンIC2の出力として一本ずつ取り出され、コネクタ3とFFC4を介して走査電極6に一本ずつ接続されている。一般的にFFC4と走査電極6は熱圧着によって接続されており、走査電極一本につきスキャンICの出力配線が一本割り振られている構成になっている。このため、YSUS基板23で生成された駆動波形も各スキャンＩＣを介してＦＦＣ４を経由し、走査電極6に印加される。次に図１に本実施の主要部を示す。図１はSDR基板1の配線図である。
【００１８】
図１に示すようにSDR基板1にはスキャンパルス波形を生成するためのスキャンIC2が複数個実装されており、YSUS基板23からスキャンIC2の(A)、(B)、(C)と上から下へと順次接続されるパターン配線になっている。また、互いに隣接するスキャンICの内、スキャンIC(A)と(B)に着目すると、スキャンIC(A)の一番最後の出力配線とスキャンIC(B)の一番最初の出力配線をSDR基板上において表層面と内装面を利用して少なくとも一本以上、出力配線を入れ替える。その状態にした上で一本ずつ取り出し、走査電極6に接続する。ただし図1ではスキャンIC(A)の出力配線が接続されている表示ラインをa1、スキャンIC(B)の出力配線が接続されている表示ラインをb1、以下同様の表記としている。
【００１９】
従来の方式ではSDR基板1に複数個実装されたスキャンIC2にYSUS基板23から駆動波形がスキャンIC2の(A)、(B)、(C)と上から下へと順次接続されるパターン配線になっていた。また、スキャンIC2(A)の出力配線はそのまままっすぐ、コネクタ3とFPC4を介して走査電極に接続した構成になっていた。したがってYSUS基板23から送られてくる駆動波形の配線距離が各スキャンIC毎に異なるため、配線距離が長いほど配線抵抗による電圧降下が大きくなってしまう。そのためスキャンICの配線距離が一番短いスキャンIC(A)の出力配線は電圧降下による影響が一番小さいため該当する表示ラインは一番明るく、次に配線距離が短いスキャンIC(B)はスキャンIC(A)と比べると電圧降下が大きいため、該当する表示ラインはスキャンIC(A)の出力に該当する表示ラインよりも暗く点灯する。
【００２０】
そのためスキャンIC(A)の出力に該当する表示ラインとスキャンIC(B)の出力に該当する表示ラインとを比べた時に表示ラインの輝度の段差が生じる。以下同様にスキャンIC(B)と(C)を比べた時も表示ラインの輝度の段差が生じて見えていた。
【００２１】
このため本発明では、互いに隣接するスキャンICにおいて、スキャンIC(A)と(B)に着目すると、スキャンIC(A)の出力配線が全部でn本あったとすると、n本目の出力配線を入れ替える対象にする。次にスキャンIC(B)の出力配線の内、一番最初の出力配線b1を入れ替える対象にし、それぞれスキャンIC(A)のn番目とスキャンIC(B)の一番目をSDR基板1の表層面と内層面を利用して入れ替えた状態にした上で走査電極6に接続する。これによりFPC4の接続ブロック境界で輝度の異なる出力配線を4ライン以上使用し、明(a1)暗(b1)明(a1)暗(b1)と分散させることができるようにした。以下スキャンIC(B)(C)間、(C)(D)間、(D)(E)間も同様に入れ替えるものとする。
【００２２】
また、互いに隣接するスキャンICの出力配線をSDR上で入れ替えたことで輝度の明るい出力と輝度の暗い出力がFPC4内で互いに近接配線される。従って電圧降下の受けかたが異なるもの同士を至近距離で配線するが故に、相互に影響を及ぼし合って、互いの電圧値の中間電位に推移するようになり輝度差そのものを緩和させることができる。
【実施例２】
【００２３】
図6に示すようにSDR基板1にはスキャンパルスを生成するためのスキャンIC2が複数個実装されており、駆動波形をYSUS基板23からスキャンIC2の(A)、(B)、(C)と上から下へと順次接続するパターン配線になっている。
【００２４】
また隣接したスキャンIC(A)と(B)に着目した場合、スキャンIC(A)の出力配線の内、最後から数えて２番目の出力配線と、スキャンIC(B)の出力配線の内、最初から数えて２番目の出力配線をそれぞれSDR基板1の表層面と内層面を利用して入れ替えた状態にした上で走査電極6に接続する。ただし図6ではスキャンIC(A)の出力配線が接続されている表示ラインをa1、スキャンIC(B)の出力配線が接続されている表示ラインをb1、以下同様の表記としている。
【００２５】
従来の方式と同様にYSUS基板23からスキャンIC(A)、(B)、(C)と上から下へ順次接続するパターン配線になっているため輝度の明るい表示ラインと輝度の暗い表示ラインが出来てしまい、輝度の段差として見えてしまう。そこで本実施例では、隣接するスキャンIC2の出力配線を次のように入れ替えることで輝度の段差を見えにくくするようにした。
【００２６】
図6に示すように隣接したスキャンIC(A)と(B)に着目すると、スキャンIC(A)の出力配線が全部でn本あったとすると、その内最後から数えて2番目(n-1)に当たる出力配線を入れ替える対象にする。次にスキャンIC(B)の出力配線の内最初から数えて2番目b2に当たる出力配線を入れ替える対象にし、(n-1)番目のラインと2番目(b2)のラインをそれぞれSDR基板1の表層面と内層面を利用して入れ替えた状態にした上で走査電極6に接続する。
【００２７】
このように配線を入れ替えることでFPC4の接続ブロック境界で輝度差の異なる表示ラインを明(a1)暗(b1)明(a1)暗(b1)明(a1)暗(b1)とより広い範囲で分散させることができるようになる。以下スキャンIC(B)(C)間、(C)(D)間、(D)(E)間も同様に入れ替えるものとする。
【００２８】
また、互いに隣接するスキャンICの出力配線をSDR上で入れ替えたことで輝度の明るい出力と輝度の暗い出力がFPC4内で互いに近接配線される。従って電圧降下の受けかたが異なるもの同士を至近距離で配線するが故に、相互に影響を及ぼし合って、互いの電圧値の中間電位に推移するようになり輝度差そのものを緩和させることができる。
【実施例３】
【００２９】
次に図7に本実施の主要部を示す。図7はSDR基板1の配線図である。図7に示すようにSDR基板1にはスキャンパルス波形を生成するためのスキャンIC2が複数個実装されており、駆動波形をYSUS基板23からスキャンIC2の(A)、(B)、(C)と上から下へと順次接続するパターン配線になっている。また、スキャンICの出力配線と走査電極を接続しているFPC26はスキャンIC2個分の出力配線を通すことができるようになっており、FPC26の接続ブロックの切れ目に対応する隣接したスキャンIC2間の出力配線を互いに入れかえる構成にする。ただし図7ではスキャンIC(A)の出力配線が接続されている表示ラインをa1、スキャンIC(B)の出力配線が接続されている表示ラインをb1、以下同様の表記としている。
【００３０】
従来の方式と同様にYSUS基板23からスキャンIC(A)、(B)、(C)と上から下へ順次接続するパターン配線になっているため輝度の明るい表示ラインと輝度の暗い表示ラインが出来てしまい、輝度の段差として見えてしまう。そこで本実施例ではFPC26の切れ目に対応するスキャンIC2の出力配線を次のように入れ替えることで輝度の段差を見えにくくするようにした。
【００３１】
まず、図7に示すようにFPC26の切れ目に対応するスキャンIC(B)(C)間に着目する。スキャンIC(B)の出力配線がn本あったとするとn本目の出力配線を入れ替える対象にする。次にスキャンIC(C)の出力配線の内、一番最初の出力配線c1を入れ替える対象にし、それぞれスキャンIC(B)のn番目とスキャンIC(C)の一番目をSDR基板1の表層面と内層面を利用して入れ替えた状態にした上で走査電極6に接続する。これによりFPC26の接続ブロック境界で輝度差の異なる出力配線を明(b1)暗(c1)明(b1)暗(c1)と分散させることができるようにした。
【００３２】
また、互いに隣接するスキャンIC(A)(B)間、(C)(D)間、(E)(F)間については出力配線を入れ変えなくてもFPC26内で電圧降下の受けかたが異なるもの同士を至近距離で配線しているため、FPC26が接続されている先で輝度差は発生しづらくなっており互いの出力配線を入れ替えなくても輝度差の改善を得られるため出力配線を入れ変えても、入れ替えなくてもよい。
【産業上の利用可能性】
【００３３】
本発明はプラズマディスプレイ装置に関し、上記の通り、画質が向上するという効果を得られるので、産業上有用である。
【図面の簡単な説明】
【００３４】
【図１】実施例1における配線パターンを示す
【図２】同PDP装置のパネル本体の構造を示す
【図３】同PDP装置のパネルの電極配置図を示す
【図４】本発明の一実施形態のPDP装置における全体構成を示す
【図５】同PDP装置の維持電極に印加するための回路構成図を示す
【図６】実施例2における配線パターンを示す
【図７】実施例3における配線パターンを示す
【符号の説明】
【００３５】
1 …SDR基板
2 …スキャンIC
3 …走査電極接続用コネクタ
4 …走査電極接続用のフレキシブル配線板(FPC)
5 …AC型PDP
6 …走査電極
7 …維持電極
8 …前面基板
9 …第一の誘電体層
10…保護層
11…背面基板
12…第２の誘電体層
13…隔壁
14…蛍光体
15…アドレス電極
16…維持回路(XSUS回路)
17…維持電極接続用のフレキスブル配線板(FPC)
18…アドレス電極接続用のフレキシブル配線板(FPC)
19…アドレス回路
20…制御回路
21…電源回路
22…PDP装置(PDPモジュール)
23…走査回路(YSUS回路)
24…YSUS回路とSDR回路を接続するコネクタ
25…2枚フレキ用コネクタ
26…2枚型フレキシブル配線板
【図１】
2010122549.tif 000003
【図２】
2010122549.tif 000004
【図３】
2010122549.tif 000005
【図４】
2010122549.tif 000006
【図５】
2010122549.tif 000007
【図６】
2010122549.tif 000008
【図７】
2010122549.tif 000009